(57)【特許請求の範囲】
【請求項１】
壁際に、車輪の通る溝を形成したレールを天井および床面に溝を対向させて平行に取付け、上端および下端に左右方向に回転する車輪を設けると共に側面に穿設した孔にボルトを取付けた伸縮可能なポールを２本設け、各ポールを伸縮して上端および下端の車輪を前記天井および床面のレールの溝に通し、機器の左右両側部に引掛部を設けた固定金具を取付け、固定金具を前記２本のポールのボルトに掛止して機器を設置するようにした壁寄せスタンド装置。
【請求項２】
前記ポールを上下に分割し、上下のポールの内壁に互いに逆のネジ溝を穿設し、両端に前記各ネジ溝に螺合するネジ山を形成した継ぎ手を設け、継ぎ手を前記上下のポールに螺入し、ポールの長さを調整するようにした請求項１記載の壁寄せスタンド装置。
【請求項３】
前記ポールの上端部または下端部にフランジを取付け、フランジでポールを天井または床面に固定するようにした請求項１または請求項２記載の壁寄せスタンド装置。
【請求項４】
前記ポールの上端部および下端部にフランジを取付け、フランジでポールを天井および床面に固定するようにした請求項１または請求項２記載の壁寄せスタンド装置。
【請求項５】
前記各ポールの側面にボルト取付用の孔を複数穿設し、ボルトの取付位置により機器の高さを可変するようにした請求項１、請求項２、請求項３または請求項４記載の壁寄せスタンド装置。
【発明の詳細な説明】
【０００１】
【発明の属する技術分野】
本発明は壁寄せスタンド装置に係り、奥行きの薄い平面型の映像表示装置等を壁際に寄せて設置するものに関する。
【０００２】
【従来の技術】
プラズマディスプレイパネル（ＰＤＰ）を用いた映像表示装置（ディスプレイ）等は、薄型に形成できるため占有床面積が小さいので、壁際等に設置して居室等のスペースを有効に利用できる利点を持つものであるが、例えば、壁掛け式に設置するには、金具を壁にネジ止めし、この金具にディスプレイ等の機器を取付けねばならず、機器の全重量が金具にかかるので金具は柱等充分な強度の箇所に取付けねばならず、柱のない箇所には設置が困難であり、また、壁面に埋込式に設置するには壁を壊す必要が生じ、大掛かりなものとなる。
【０００３】
【発明が解決しようとする課題】
本発明はこのような点に鑑み、壁際の床面と天井を利用し、壁に加工の手を加えずにディスプレイ等の機器を壁際に設置できるようにすることにある。
【０００４】
【課題を解決するための手段】
本発明は上述の課題を解決するため、壁際に、車輪の通る溝を形成したレールを天井および床面に溝を対向させて平行に取付け、上端および下端に左右方向に回転する車輪を設けると共に側面に穿設した孔にボルトを取付けた伸縮可能なポールを２本設け、各ポールを伸縮して上端および下端の車輪を前記天井および床面のレールの溝に通し、機器の左右両側部に引掛部を設けた固定金具を取付け、固定金具を前記２本のポールのボルトに掛止して機器を設置するようにした壁寄せスタンド装置を提供するものである。
【０００５】
【発明の実施の形態】
本発明による壁寄せスタンド装置では、天井および床面の壁際に、車輪の通る溝を形成したレールを溝を対向させて平行に取付け、伸縮可能に形成した２本のポールの上端および下端に前記レールの溝を通る左右方向に回転する車輪を取付け、ポールの側面にボルト取付け用の孔を複数穿設し、同じ高さの適宜の孔にボルトを取付け、ポールを伸縮し、上端および下端の車輪が天井および床面のレールの溝を通る長さに調整し、両レール間に立設する。機器の左右両側部に引掛部を設けた固定金具を取付け、この固定金具を２本のポールのボルトに掛止し、機器を設置する。機器の左右位置はポールを左右に動かして調整し、機器の高さはボルトの位置で調整する。また、ポールの上端部または下端部、あるいは上端部および下端部にフランジを取付け、ポールを天井または床面に固定する、あるいは天井および床面に固定する。
【０００６】
【実施例】
以下、図面に基づいて本発明による壁寄せスタンド装置の実施例を詳細に説明する。図１は本発明による壁寄せスタンド装置の一実施例の要部側面図である。図において、１は奥行きの薄いディスプレイ等の機器、２は機器１の左右両側部に取付けた固定金具で、３は固定金具を下向きにＵ字型に欠切した引掛部である。４はポール（２本）で、上下（4aおよび4b）に分割し、継ぎ手５で１本に連結する。ポール4aの下端部およびポール4bの上端部に互いに逆ネジ（一方を右ネジで他方を左ネジ）のネジ溝を穿設し、継ぎ手５の両端にそれぞれに対応するネジ山を形成する。６はボルト、７はボルト取付用の孔で、孔７はポール４の側面に複数穿設され、左右２本のポール４の同一の高さの孔にボルト６をナット締めで取付け、機器１の左右両側部の固定金具２の引掛部３を引掛ける。８および９は車輪で、車輪８はポール４(4a)の上端に、車輪９はポール４(4b)の下端にそれぞれ取付けられ、それぞれ左右（図の表裏）方向に回転する。10および11はレールで、車輪８、９の通る溝を設け、それぞれ天井12、床面13に壁14に寄せて平行に取付ける。
【０００７】
継ぎ手５の両端をポール4aの下端およびポール4bの上端にねじ込み、継ぎ手５を廻してポール４を伸縮し、上端の車輪８および下端の車輪９がレール10およびレール11の溝に入るように長さを調整する。そして、機器１の設置位置（高さ）に対応する孔７を選び、左側のポール４の左側面および右側のポール４の右側面にそれぞれボルト６をナット締めで取付け、機器１の左右両側の固定金具２の引掛部３を左右のポール４のボルト６に掛止し、機器１と共に２本のポール４を左右に移動し、左右方向の位置を決める。機器１の高さを変える場合はボルト６の取付位置を上下に移動する。そして、例えば、合成ゴム等の柔軟性を有する部材でレール11の溝の幅の長三角形のくさびを形成し、くさびの鋭角部を左右のポール４の車輪９と溝との間に差し込み、車輪９が勝手に回転してポール４（機器１）が左右に動かないようにする。あるいは、ペダル式ブレーキを設けてもよい。ペダル式ブレーキは、例えば、ポール4bの車輪９の軸受部に外方に突出する長円形の凸部を形成し、ペダルにこの凸部に嵌まる凹部を形成し、ペダルを踏めば軸受部の凸部がペダルの凹部から外れ、ポール4bの軸受部がペダルの平面部分で押され、内方に撓み、車輪９を圧迫して回転を止めるようにする。なお、ポール４の孔７を通る太さで先端部にネジ山を設けた２本のポールの間隔より長い金属棒等を具え、使用しない孔７を利用して２本のポールを金属棒でつなぎ、先端をナット締めし、ポール４を立てる際に手を離してもポールが倒れないようにしてもよい。
【０００８】
図２（イ）は本発明による壁寄せスタンド装置の他の実施例の要部側面図で、21はフランジ、同図（ロ）はフランジ21の平面図である。フランジ21の円筒部22をポール4aまたは4bに挿通し、フランジ部23でレール10（または11）を跨がせ、天井または床面にネジ止めし、ポール４を動かないように固定する。フランジ21はポール４の上端を固定するように天井側、または下端を固定するように床面側に取付けるか、あるいは天井側および床面側の双方に取付けて左右の動きを確実に止めるようにする。なお、上記では機器１は左右各１本のボルトに掛止し、ポール４に背面をもたせかけ、機器１を正面に向けるようにしたが、左右両側に固定金具２を上下に２個設けるか、あるいは１個の固定金具２に引掛部３を上下に２か所設け、それぞれ２本のボルトで掛止するようにしてもよい。
【０００９】
【発明の効果】
以上に説明したように、本発明による壁寄せスタンド装置によれば、平らな壁であれば壁面に沿ってディスプレイ等の機器を左右・上下に動かし、固定できるもので、壁に手を加えずに壁に寄せて設置することができる。
【図面の簡単な説明】
【図１】本発明による壁寄せスタンド装置の一実施例の要部側面図である。
【図２】本発明による壁寄せスタンド装置の他の実施例の要部側面図およびフランジの平面図である。
【符号の説明】
１  機器（ディスプレイ等）
２  固定金具
３  引掛部
４、4a、4b  ポール
５  継ぎ手
６  ボルト
７  孔（ボルト取付用）
８、９  車輪
10、11  レール
12  天井
13  床面
14  壁
21  フランジ
22  円筒部
23  フランジ部
【図１】
0003755245.tif 000002
【図２】
0003755245.tif 000003